【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
氷のう（１００）において：
ある体積の氷を受け入れる内部空洞を有する可撓性容器（１１０）であって、冷却対象の身体の部分に接して配置される少なくとも１つの面（１１２）を有する可撓性容器（１１０）と、
前記内部空洞へのアクセスを可能にする前記可撓性容器（１１０）の開口部（１１６）と、
前記開口部（１１６）に近接する前記可撓性容器の係合装置（１２０）であって、第１嵌合係合システム（１３６）を有する係合装置（１２０）と、
取外し可能キャップ（１４０）であって、前記キャップ（１４０）を前記係合装置（１２０）と封止係合させるように固定して前記氷のう（１００）を封止すべく、前記第１嵌合係合システム（１３６）と係合可能な第２嵌合係合システム（１４４）を有し、前記取外しキャップ（１４０）が前記係合装置（１２０）と封止係合して保持されている間に前記氷のう（１００）から空気を放出する排気システム（１６４、１８０）を備えている取外しキャップ（１４０）と、
を具備しており、
前記排気システム（１６４、１８０）が、
前記キャップ（１４０）を通して外面（１６０）と内面（１６２）との間に形成された穴（１６４）と、
前記キャップ（１４０）の前記穴（１６４）に対して配置されたプラグ（１８０）であって、
前記キャップ（１４０）の前記内面（１６２）に配置された下方封止部（１８６、１８８）であって、前記穴（１６４）を閉塞し、かつ前記穴（１６４）を通る空気の放出を妨げる停止位置を有する下方封止部（１８６、１８８）と、
前記キャップ（１４０）の外面（１６０）に配置された上部（１８２）と、
前記上部（１８２）と前記下部（１８６）との間の弾性部（１９０）であって、前記キャップ（１４０）の前記内面（１６２）に対して前記下方封止部（１８６、１８８）を固定するように寸法が決められている弾性部（１９０）と、
を備えるプラグ（１８０）と、
前記プラグ（１８０）の前記上部（１８２）においてアクセス可能な上部（２１２）と、前記プラグ（１８０）内に延在する拡張下部（２１４）とを有する解放機構（２１０）であって、前記上部（２１２）に加えられた圧力に対して反応して、前記拡張下部（２１４）を前記プラグ（１８０）の前記下方封止部（１８６、１８８）に押しつけて前記キャップ（１４０）の前記内面（１６２）から離れる方向に変位状態まで移動させ、空気が前記穴（１６４）を通過することができるようにし、前記プラグ（１８０）の前記弾性部（１９０）が、前記解放機構（２１０）の上部（２１２）から前記加えられた圧力が除去されると前記プラグ（１８０）の前記下方封止部（１８６、１８８）を前記停止状態に戻す、解放機構（２１０）と、
を具備することを特徴とする氷のう（１００）。
【請求項２】
請求項１に記載の氷のう（１００）において、前記可撓性容器（１１０）が、厚さがおよそ０．０１５インチである医療用ラテックスを含むことを特徴とする氷のう（１００）。
【請求項３】
請求項２に記載の氷のう（１００）において、前記医療用ラテックスが、アレルギー反応を引き起こすタンパク質を除去するように濾過され、抗菌溶液と混合されることを特徴とする氷のう（１００）。
【請求項４】
請求項１に記載の氷のう（１００）において、前記可撓性容器（１１０）が、冷却対象である身体部分に接して配置可能である、前記開口部（１１６）の反対側に配置された底部（１１２）を有し、前記底部（１１２）が略矩形面を有していることを特徴とする氷のう（１００）。
【請求項５】
請求項１に記載の氷のう（１００）において、前記略矩形面が正方形であることを特徴とする氷のう（１００）。
【請求項６】
請求項１に記載の氷のう（１００）がさらに、中心本体（３５２）を有する弾性材料の単一シート（３５０）を備える圧迫ラップ（３００、３１２、５００、６００、７００、８００）であって、前記中心本体（３５２）からストラップ（３６０、３６２、３７０、３７２）が延在しており、前記中心本体（３５２）が前記氷のう（１００）の首（１１６）を受け入れる孔（３５４）を有し、前記ストラップ（３６０、３６２、３７０、３７２）が、前記身体部分に圧力を加えるべく、かつ前記身体部分から前記氷のう（１００）内の氷に熱を伝達すべく、前記身体部分に前記氷のう（１００）を固定すべく前記身体部分に対して配置可能であり、前記排気システム（１６４、１８０）により、前記圧迫ラップ（３００）または前記キャップ（１４０）を妨げることなく前記氷のう（１００）から空気を除去することができ、前記放出された空気の体積を補償すべく収縮し、それにより連続的な前記身体部分に対する圧力および前記身体部分との熱的接触を維持する圧迫ラップ（３００）を具備することを特徴とする氷のう（１００）。
【請求項７】
請求項６に記載の氷のう（１００）において、前記圧迫ラップ（３００）が、前記中心本体（３５２）の第１側部から第１方向に延在する少なくとも第１ストラップ（３６０）と、前記中心本体の第２側部から第２方向に延在する少なくとも第２ストラップ（３６２）とを備えることを特徴とする氷のう（１００）。
【請求項８】
請求項６に記載の氷のう（１００）において、前記圧迫ラップ（３００）が、前記中心本体（３５２）の上部を人の腰に固定する少なくとも第１ストラップ（３６０）を備え、かつ前記中心本体（３５２）の下部を前記人の脚に固定する少なくとも第２ストラップ（３７０）を備え、前記中心本体（３５２）が、それにより、前記人の臀部の上に配置されて、前記人の前記臀部に接触して配置される前記氷のう（１００）に圧力を加えることを特徴とする氷のう（１００）。
【請求項９】
請求項６に記載の氷のう（１００）において、前記圧迫ラップ（５００、６００）が、人の肩であって前記人の首の一方に近接する肩に前記中心本体（５２０）の上部を固定する少なくとも第１ストラップ（５６０）を備え、かつ前記中心本体の下部を前記人の腕に固定する少なくとも第２ストラップ（５５０）を備え、前記中心本体（５２０）が、それにより、前記人の前記肩の上に配置されて、前記人の前記肩に接触して配置される前記氷のう（１００）に圧力を加えることを特徴とする氷のう（１００）。
【請求項１０】
人の身体の選択した領域を冷却すると同時に加圧する方法において、当該方法が：
氷のう（１００）を氷で充填するステップであって、前記氷のうは本体部（１１０）と首部（１１６）とを有し、さらに前記氷のう（１００）の前記本体部（１１０）に氷を挿入しかつ前記氷のう（１００）の前記本体部（１１０）から水を除去するための取外しキャップ（１４０）を前記首部（１１６）に有し、
前記取外しキャップは、
外面（１６０）および内面（１６２）と、
前記キャップ（１４０）を通して前記外面（１６０）と前記内面（１６２）との間に形成された穴（１６４）と、
前記キャップ（１４０）を取り外すことなく、前記氷のう（１００）の前記本体部（１１０）から空気を放出することができるように、前記穴（１６４）に配置された排気システム（１８０）とを具え、
前記排気システム（１８０、２１０）は、
前記穴（１６０）に配置されたプラグ（１８０）であって、前記キャップ（１４０）の前記内面（１６２）に近接して、前記穴（１６４）を閉塞する封止部（１８６、１８８）を有するプラグ（１８０）と、
前記キャップ（１４０）の前記外面（１６０）に近接し、上部（２１２）と前記プラグ（１８０）内に延在する拡張下部（２１４）とを有する解放機構（２１０）と、
を具えている、ステップと、
圧迫ラップ（３００、３１２、５００、６００、７００、８００）の開口部を通して前記氷のう（１００）の前記首部（１１６）を配置するステップと、
前記氷のう（１００）の前記本体部（１１０）が前記圧迫ラップ（３００、３１２、５００、６００、７００、８００）と前記人の身体の選択した領域の間にあり、前記氷のう（１００）の前記首部（１１６）および前記キャップ（１４０）が前記人の身体の選択した領域から離れる方向に前記圧迫ラップ（３００、３１２、５００、６００、７００、８００）から延在する状態で、前記圧迫ラップ（３００、３１２、５００、６００、７００、８００）を前記人の身体の選択した領域に固定するステップと、
前記氷のう（１００）の前記本体部（１１０）内部の氷が溶け、前記本体部（１１０）内に封入された空気を放出するときに、前記本体部（１１０）内部に氷および水を保持して、前記圧迫ラップ（３００、３１２、５００、６００、７００、８００）が前記人の身体の選択した領域を加圧し続けることができるようにしながら、前記拡張下部（２１２）が前記キャップ（１４０）の前記内面（１６２）から離れる方向に前記封止部（１８６、１８８）を移動させて前記穴（１６４）を開放し、それにより、前記本体部（１１０）から空気を放出するように、前記解放機構（２１０）に選択的に圧力を加えるステップと、
を具備することを特徴とする方法。